(57)【要約】【課題】少量の可溶化剤量で高濃度のアルカリ水溶液中へ非イオン界面活性剤を可溶化することができ、更に、−１０℃の低温下で貯蔵しても結晶が析出しない低温安定性に優れたアルカリ性水溶液組成物の提供。【解決手段】（ａ）アルカリ剤、（ｂ）非イオン界面活性剤、（ｃ）可溶化剤（Ｉ）、可溶化剤（ＩＩ）及び可溶化剤（ＩＩＩ）からなる可溶化剤を含有し、重量比で、（Ｉ）：［（ＩＩ）＋（ＩＩＩ）］＝９５：５〜３５：６５、（ＩＩ）：（ＩＩＩ）＝７０：３０〜３０：７０である、アルカリ性水溶液組成物。Ｒ１−Ｘ−（ＣＨ２）ｍＣＯＯＭ１    （Ｉ）Ｒ２ＣＯＯＭ２                    （ＩＩ）Ｒ３ＣＯＯＭ３                    （ＩＩＩ）〔式中、Ｒ１はＣ４〜２２の脂肪族炭化水素基等、Ｘは＞ＮＨ、＞Ｎ（ＣＨ２）ｎＣＯＯＭ１等、Ｒ２はＣ３〜２２の直鎖脂肪族炭化水素基等、Ｒ３はＣ４〜２２の分岐鎖脂肪族炭化水素基、Ｍ１、Ｍ２、Ｍ３はＨ、アルカリ金属等、ｍ及びｎは１〜３の整数。〕【選択図】  なし【特許請求の範囲】
【請求項１】
（ａ）アルカリ剤、（ｂ）非イオン界面活性剤及び（ｃ）可溶化剤を含有し、可溶化剤が、一般式（Ｉ）で表されるカルボン酸又はその塩（以下可溶化剤（Ｉ）という）、一般式（ＩＩ）で表されるカルボン酸又はその塩（以下可溶化剤（ＩＩ）という）及び一般式（ＩＩＩ）で表されるカルボン酸又はその塩（以下可溶化剤（ＩＩＩ）という）からなり、且つ可溶化剤（Ｉ）、（ＩＩ）及び（ＩＩＩ）の配合割合が重量比で、（Ｉ）：［（ＩＩ）＋（ＩＩＩ）］＝９５：５〜３５：６５、（ＩＩ）：（ＩＩＩ）＝７０：３０〜３０：７０である、アルカリ性水溶液組成物。
Ｒ１−Ｘ−（ＣＨ２）ｍＣＯＯＭ１    （Ｉ）
Ｒ２ＣＯＯＭ２                    （ＩＩ）
Ｒ３ＣＯＯＭ３                    （ＩＩＩ）
〔式中、Ｒ１は炭素数４〜２２の飽和もしくは不飽和の直鎖もしくは分岐鎖の脂肪族炭化水素基又は炭素数５〜１８の芳香族炭化水素基を示し、Ｘは基  ＞ＮＨ、＞Ｎ（ＣＨ２）ｎＣＯＯＭ１又は＞ＣＨＣＯＯＭ１を示す。Ｒ２は炭素数３〜２２の飽和もしくは不飽和の直鎖の脂肪族炭化水素基又は炭素数５〜１８の芳香族炭化水素基を示す。Ｒ３は炭素数４〜２２の飽和もしくは不飽和の分岐鎖の脂肪族炭化水素基を示す。Ｍ１、Ｍ２、Ｍ３はそれぞれ水素原子、アルカリ金属、炭素数１〜４の脂肪族アミン、アンモニア又はアルカノールアミンを示し、ｍ及びｎはそれぞれ１〜３の整数を示す。〕
【請求項２】
非イオン界面活性剤が、一般式（ＩＶ）〜（ＶＩ）で表される化合物から選ばれる１種以上である請求項１記載のアルカリ性水溶液組成物。
Ｒ４−Ｏ−（ＥＯ）ｘ１−（ＰＯ）ｙ１−（ＥＯ）ｘ２−Ｈ        （ＩＶ）
Ｒ４−Ｏ−［（ＥＯ）ｘ３／（ＰＯ）ｙ２］−（ＥＯ）ｘ４−Ｈ    （Ｖ）
Ｒ４−Ｏ−（ＥＯ）ｘ５−［（ＥＯ）ｘ６／（ＰＯ）ｙ３］−（ＰＯ）ｙ４−［（ＥＯ）ｘ７／（ＰＯ）ｙ５］−（ＥＯ）ｘ８−Ｈ    （ＶＩ）
〔式中、Ｒ４は炭素数６〜２４の直鎖もしくは分岐鎖のアルキル基もしくはアルケニル基又は
【化１】
2004182801.tif 000008
を示す。ただし、Ｒ５及びＲ６は、それぞれ炭素数１〜２２の直鎖のアルキル基を示し、その炭素数の和は５〜２３である。また、ＥＯはオキシエチレン基、ＰＯはオキシプロピレン基を示す。ｘ１、ｘ２、ｘ３、ｘ４、ｘ５、ｘ６、ｘ７及びｘ８はエチレンオキサイドの平均付加モル数を示す数で、ｘ１、ｘ２、ｘ３、ｘ４、ｘ５及びｘ８はそれぞれ１以上の数、ｘ１＋ｘ２≧４、ｘ３＋ｘ４≧４、ｘ５＋ｘ６＋ｘ７＋ｘ８≧４、ｘ６＋ｘ７≧１である。ｙ１、ｙ２、ｙ３、ｙ４及びｙ５はプロピレンオキサイドの平均付加モル数を示す数で、０＜ｙ１＜ｘ１＋ｘ２、０＜ｙ２＜ｘ３＋ｘ４、ｙ３＋ｙ５≧０．１、ｙ３≧０、ｙ４≧０、ｙ５≧０、ｙ３＋ｙ４＋ｙ５＜ｘ５＋ｘ６＋ｘ７＋ｘ８である。また、［］で囲まれた部分はランダム付加、（）で囲まれた部分はブロック付加であることを示す。〕
【請求項３】
組成物中の（ａ）成分の含有量が３〜５０重量％、（ｂ）成分の含有量が０．０１〜３０重量％、（ｃ）成分の含有量が０．０１〜３０重量％である請求項１又は２記載のアルカリ性水溶液組成物。
【請求項４】
更に、キレート剤を含有する請求項１〜３いずれかに記載のアルカリ性水溶液組成物。
【請求項５】
洗浄剤用である請求項１〜４いずれかに記載のアルカリ性水溶液組成物。
【発明の詳細な説明】
【０００１】
【発明の属する技術分野】
本発明は、アルカリ剤と非イオン界面活性剤を安定に含有し、特に低温域での安定性に優れたアルカリ性水溶液組成物に関する。
【０００２】
【従来の技術】
従来より、水溶性アルカリ剤、例えば水酸化ナトリウム、水酸化カリウム、オルソ珪酸ナトリウム、メタ珪酸ナトリウム等は酸の中和、油脂類の鹸化、油性汚れの洗浄など種々の用途に使用されている。また、非イオン界面活性剤は、浸透性、乳化性、分散性を有し、各種洗浄剤の有効成分として有用であり、金属、ガラス、繊維等の硬質表面の洗浄に適している。そこで、アルカリ剤及び非イオン界面活性剤を組み合わせて使用することにより、浸透性、乳化性、分散性、洗浄性を有する優れた強アルカリ洗浄剤を得ることができる。この場合、これらを一液化して、均一透明な濃縮製品を作成することができれば、これらの成分を使用する際に混合するよりも、計量、運搬、保存等が簡単になり、実用上極めて有用性が高い。アルカリ剤と非イオン界面活性剤を含む一液性高濃度アルカリ性水溶液を得る試みは従来から種々なされているが、一般に容易ではなく、例えば一液化の為に、特許文献１、特許文献２等に見られるように、脂肪酸又はその塩を用いたり、これに更にアラニンを加える等の工夫が行われている。
【０００３】
このような工夫によって、非イオン界面活性剤を含有した高濃度のアルカリ性水溶液を得ることが可能となったが、可溶化できる非イオン界面活性剤の種類には制限があり、容易に可溶化が可能な非イオン界面活性剤は、ポリオキシエチレン（以下ＰＯＥという）アルキルフェニルエーテルタイプのみであり、それ以外のＰＯＥアルキルエーテル、ＰＯＥ・ポリオキシプロピレン（以下ＰＯＰという）アルキルエーテル、ＰＯＥ・ＰＯＰアルキルフェニルエーテル、ＰＯＥ・ＰＯＰ・ＰＯＥアルキルエーテル、ＰＯＥ・ＰＯＰ・ＰＯＥアルキルフェニルエーテル等の非イオン界面活性剤の可溶化は非常に困難であった。
【０００４】
これらの非イオン界面活性剤を可溶化する場合、可溶化剤を大量に用いると同時に、水溶液中の非イオン界面活性剤の配合割合を削減することで対処してきた。しかし、この様な方法では可溶化剤コストの点で経済性が悪く、また、有効界面活性剤濃度が低下するため洗浄不足が起きるという問題があった。また、可溶化剤量の低減のために直鎖脂肪酸との併用を行っても、冬季に屋外貯蔵した際に氷点下では結晶として析出する場合があった。逆に、これを防止しようと分岐鎖脂肪酸のみを用いても充分な可溶化が実現できず製品分離が起きる問題があった。
【０００５】
一方、特許文献３では非イオン界面活性剤として、アルキル基が分岐化したものを用いることにより、−５℃までの低温域での安定性を確保していた。しかしながら、冬季は−５℃を下回る地域があるため、更なる低温域での安定性が望まれていた。
【０００６】
【特許文献１】
特開平１−４２２６号公報
【特許文献２】
特開平１−１２３６２２号公報
【特許文献３】
特開２００１−６４６７５号公報
【０００７】
【発明が解決しようとする課題】
本発明の課題は、非イオン界面活性剤の種類によらず、少量の可溶化剤量で高濃度のアルカリ水溶液中へ非イオン界面活性剤を可溶化することができ、更に、−５℃以下、特に−１０℃の低温下で貯蔵しても結晶が析出しない低温安定性に優れたアルカリ性水溶液組成物を提供することにある。
【０００８】
【課題を解決するための手段】
本発明は、（ａ）アルカリ剤、（ｂ）非イオン界面活性剤及び（ｃ）可溶化剤を含有し、可溶化剤が、一般式（Ｉ）で表されるカルボン酸又はその塩（以下可溶化剤（Ｉ）という）、一般式（ＩＩ）で表されるカルボン酸又はその塩（以下可溶化剤（ＩＩ）という）及び一般式（ＩＩＩ）で表されるカルボン酸又はその塩（以下可溶化剤（ＩＩＩ）という）からなり、且つ可溶化剤（Ｉ）、（ＩＩ）及び（ＩＩＩ）の配合割合が重量比で、（Ｉ）：［（ＩＩ）＋（ＩＩＩ）］＝９５：５〜３５：６５、（ＩＩ）：（ＩＩＩ）＝７０：３０〜３０：７０である、アルカリ性水溶液組成物を提供する。
【０００９】
Ｒ１−Ｘ−（ＣＨ２）ｍＣＯＯＭ１    （Ｉ）
Ｒ２ＣＯＯＭ２                    （ＩＩ）
Ｒ３ＣＯＯＭ３                    （ＩＩＩ）
〔式中、Ｒ１は炭素数４〜２２の飽和もしくは不飽和の直鎖もしくは分岐鎖の脂肪族炭化水素基又は炭素数５〜１８の芳香族炭化水素基を示し、Ｘは基  ＞ＮＨ、＞Ｎ（ＣＨ２）ｎＣＯＯＭ１又は＞ＣＨＣＯＯＭ１を示す。Ｒ２は炭素数３〜２２の飽和もしくは不飽和の直鎖の脂肪族炭化水素基又は炭素数５〜１８の芳香族炭化水素基を示す。Ｒ３は炭素数４〜２２の飽和もしくは不飽和の分岐鎖の脂肪族炭化水素基を示す。Ｍ１、Ｍ２、Ｍ３はそれぞれ水素原子、アルカリ金属、炭素数１〜４の脂肪族アミン、アンモニア又はアルカノールアミンを示し、ｍ及びｎはそれぞれ１〜３の整数を示す。〕
【００１０】
【発明の実施の形態】
［（ａ）成分：アルカリ剤］
アルカリ剤としては、水溶性であればいずれのものも使用できる。具体例として、水酸化ナトリウム、水酸化カリウム等のアルカリ金属の水酸化物、オルソ珪酸ナトリウム、メタ珪酸ナトリウム、セスキ珪酸ナトリウム等の珪酸塩、リン酸三ナトリウム等のリン酸塩、炭酸二ナトリウム、炭酸水素ナトリウム、炭酸二カリウム等の炭酸塩、ホウ酸ナトリウム等のホウ酸塩等が挙げられる。２種以上のアルカリ剤を組み合わせても良い。好ましくは水酸化ナトリウム、水酸化カリウム、オルソ珪酸ナトリウム、メタ珪酸ナトリウムであり、より好ましくは水酸化ナトリウム、水酸化カリウム、オルソ珪酸ナトリウムである。
【００１１】
［（ｂ）成分：非イオン界面活性剤］
非イオン界面活性剤としては、優れた硬質表面の洗浄性を得る観点、及び非イオン界面活性剤の分離を抑制する観点から、ＨＬＢ（デイビス法による）が４〜８のものが好ましく、５〜８のものが更に好ましい。
【００１２】
本発明に用いられる非イオン界面活性剤の具体例としては、ＰＯＥアルキルエーテル、ＰＯＥ・ＰＯＰアルキルエーテル、ＰＯＥ・ＰＯＰ・ＰＯＥアルキルエーテル等のポリオキシアルキレンアルキルエーテル、ＰＯＥ・ＰＯＰアルキルフェニルエーテル、ＰＯＥ・ＰＯＰ・ＰＯＥアルキルフェニルエーテル等のポリオキシアルキレンアルキルフェニルエーテルが挙げられる。
【００１３】
これらのうち、ＰＯＥ・ＰＯＰアルキルエーテル及びＰＯＥ・ＰＯＰアルキルフェニルエーテルのエチレンオキサイド平均付加モル数は０〜８、更に３〜８が好ましく、プロピレンオキサイド平均付加モル数は０〜５が好ましい（ただし、両者が共に０であることはない）。また、ＰＯＥ・ＰＯＰ・ＰＯＥアルキルエーテル及びＰＯＥ・ＰＯＰ・ＰＯＥアルキルフェニルエーテルのエチレンオキサイド平均付加モル数は合計で４〜２０、更に６〜１５が好ましく、プロピレンオキサイド平均付加モル数は０．５〜６、更に１〜５が好ましい。
【００１４】
本発明において特に好ましい非イオン界面活性剤は、一般式（ＩＶ）〜（ＶＩ）で表される化合物である。
【００１５】
Ｒ４−Ｏ−（ＥＯ）ｘ１−（ＰＯ）ｙ１−（ＥＯ）ｘ２−Ｈ        （ＩＶ）
Ｒ４−Ｏ−［（ＥＯ）ｘ３／（ＰＯ）ｙ２］−（ＥＯ）ｘ４−Ｈ    （Ｖ）
Ｒ４−Ｏ−（ＥＯ）ｘ５−［（ＥＯ）ｘ６／（ＰＯ）ｙ３］−（ＰＯ）ｙ４−［（ＥＯ）ｘ７／（ＰＯ）ｙ５］−（ＥＯ）ｘ８−Ｈ    （ＶＩ）
〔式中、Ｒ４は炭素数６〜２４の直鎖もしくは分岐鎖のアルキル基もしくはアルケニル基又は
【００１６】
【化２】
2004182801.tif 000002
【００１７】
を示す。ただし、Ｒ５及びＲ６は、それぞれ炭素数１〜２２の直鎖のアルキル基を示し、その炭素数の和は５〜２３である。また、ＥＯはオキシエチレン基、ＰＯはオキシプロピレン基を示す。ｘ１、ｘ２、ｘ３、ｘ４、ｘ５、ｘ６、ｘ７及びｘ８はエチレンオキサイドの平均付加モル数を示す数で、ｘ１、ｘ２、ｘ３、ｘ４、ｘ５及びｘ８はそれぞれ１以上の数、ｘ１＋ｘ２≧４、ｘ３＋ｘ４≧４、ｘ５＋ｘ６＋ｘ７＋ｘ８≧４、ｘ６＋ｘ７≧１である。ｙ１、ｙ２、ｙ３、ｙ４及びｙ５はプロピレンオキサイドの平均付加モル数を示す数で、０＜ｙ１＜ｘ１＋ｘ２、０＜ｙ２＜ｘ３＋ｘ４、ｙ３＋ｙ５≧０．１、ｙ３≧０、ｙ４≧０、ｙ５≧０、ｙ３＋ｙ４＋ｙ５＜ｘ５＋ｘ６＋ｘ７＋ｘ８である。また、［］で囲まれた部分はランダム付加、（）で囲まれた部分はブロック付加であることを示す。〕
一般式（ＩＶ）〜（ＶＩ）において、Ｒ４のうち、炭素数６〜２４の直鎖又は分岐鎖のアルキル基又はアルケニル基としては、優れた洗浄性能を得る観点から、好ましくは炭素数８〜２０の直鎖又は分岐鎖のアルキル基又はアルケニル基であり、更に好ましくは炭素数１０〜１８の直鎖又は分岐鎖のアルキル基又はアルケニル基であり、特に好ましくは炭素数１０〜１６の直鎖又は分岐鎖のアルキル基又はアルケニル基である。更に、
【００１８】
【化３】
2004182801.tif 000003
【００１９】
において、Ｒ５及びＲ６は、それぞれ炭素数１〜２２の直鎖のアルキル基であり、Ｒ５とＲ６の炭素数の和は、洗浄性を向上させる観点から、５〜２３であり、好ましくは７〜１９、特に好ましくは９〜１５である。
【００２０】
一般式（ＩＶ）で表される非イオン界面活性剤において、エチレンオキサイドの平均付加モル数を示すｘ１及びｘ２はそれぞれ１以上の数であり、ｘ１とｘ２の和は４以上である。ｘ１とｘ２の和が４以上であると、一般式（ＩＶ）で表される非イオン界面活性剤と水との相溶性が良くなる。またｘ１とｘ２の和が２０を越えても洗浄性能は変わらないが、排水処理や発泡等の問題が生じる可能性があるために、ｘ１とｘ２の和は、好ましくは２０以下、さらに好ましくは６〜１５である。
【００２１】
また、一般式（ＩＶ）で表される非イオン界面活性剤のプロピレンオキサイドの平均付加モル数ｙ１は０より大きく、エチレンオキサイドの平均付加モル数であるｘ１とｘ２の和より小さい数であり、好ましくは０．５〜６、さらに好ましくは１〜５である。ｙ１がｘ１とｘ２の和より小さい数であると洗浄性、生分解性等が良くなるため好ましい。
【００２２】
一般式（Ｖ）で表される非イオン界面活性剤において、エチレンオキサイドの平均付加モル数を示すｘ３及びｘ４はそれぞれ１以上の数であり、ｘ３とｘ４の和は４以上である。ｘ３とｘ４の和が４以上であると、一般式（Ｖ）で表される非イオン界面活性剤と水との相溶性が良くなる。またｘ３とｘ４の和が２０を越えても洗浄性能は変わらないが、排水処理や発泡等の問題が生じる可能性があるために、ｘ３とｘ４の和は、好ましくは２０以下、さらに好ましくは６〜１５である。
【００２３】
また、一般式（Ｖ）で表される非イオン界面活性剤のプロピレンオキサイドの平均付加モル数ｙ２は０より大きく、エチレンオキサイドの平均付加モル数であるｘ３とｘ４の和より小さい数であり、好ましくは０．５〜６、さらに好ましくは１〜５である。ｙ２がｘ３とｘ４の和より小さい数であると洗浄性、生分解性等が良くなるため好ましい。
【００２４】
一般式（ＶＩ）で表される非イオン界面活性剤において、エチレンオキサイドの平均付加モル数を示すｘ５及びｘ８はそれぞれ１以上の数であり、ｘ６とｘ７の和は１以上、ｘ５とｘ６とｘ７とｘ８の和は４以上である。ｘ５とｘ６とｘ７とｘ８の和が４以上であると、一般式（ＶＩ）で表される非イオン界面活性剤と水との相溶性が良くなる。またｘ５とｘ６とｘ７とｘ８の和が２０を越えても洗浄性能は変わらないが、排水処理や発泡等の問題が生じる可能性があるために、ｘ５とｘ６とｘ７とｘ８の和は、好ましくは２０以下、さらに好ましくは６〜１５である。
【００２５】
また、一般式（ＶＩ）で表される非イオン界面活性剤のプロピレンオキサイドの平均付加モル数ｙ３、ｙ４、ｙ５はそれぞれ０以上であり、ｙ３＋ｙ５≧０．１である。ｙ３とｙ４とｙ５の和はエチレンオキサイドの平均付加モル数であるｘ５とｘ６とｘ７とｘ８の和より小さい数であり、好ましくは０．５〜６、さらに好ましくは１〜５である。ｙ３とｙ４とｙ５の和がｘ５とｘ６とｘ７とｘ８の和より小さい数であると洗浄性、生分解性等が良くなるため好ましい。
【００２６】
非イオン界面活性剤は、上記した一般式（ＩＶ）〜（ＶＩ）から選ばれる２種以上のものを組み合わせてもよい。
【００２７】
また、上記以外の非イオン界面活性剤としては、特開２０００−１０４０９９号、特開平１０−２１６５６号、特開２０００−１６９８９４号、特開平１１−２２２６８７号に記載されているものを用いることができる。
【００２８】
［（ｃ）成分：可溶化剤］
本発明に用いられる可溶化剤のうち、可溶化剤（Ｉ）としては、Ｒ１が炭素数５〜１７のアルキル基もしくはアルケニル基、又はフェニル基、Ｘが＞ＮＨ又は＞Ｎ（ＣＨ２）ｎＣＯＯＭ１、ｍ及びｎがそれぞれ１〜３の整数であるものが好ましい。具体的には、次のようなものが例示される。
【００２９】
【化４】
2004182801.tif 000004
【００３０】
〔式中、Ｍ１は前記と同じ意味を示す。〕
可溶化剤（ＩＩ）は、炭素数４〜２３の直鎖飽和脂肪酸もしくは直鎖不飽和脂肪酸、又は芳香族基を有する炭素数６〜１９のカルボン酸又はこれらの塩である。直鎖飽和脂肪酸の例として、カプロン酸、エナント酸、カプリル酸、ペラルゴン酸、カプリン酸、ウンデカン酸、ラウリン酸、ミリスチン酸、パルミチン酸、マルガリン酸、ステアリン酸、酪酸、吉草酸等が挙げられる。直鎖不飽和脂肪酸の例として、カプロレイン酸、オレイン酸、９−ウンデシレン酸、エライジン酸、１０−ウンデシレン酸、２−ラウロレイン酸、パセニン酸、リンデル酸、トウハク酸、５−ラウロレイン酸、１１−ラウロレイン酸、２−パルミトレイン酸、７−パルミトレイン酸、ｃｉｓ−９−パルミトレイン酸、ゾーマリン酸、ｔｒａｎｓ−９−パルミトレイン酸、ツズ酸、５−ミリストレイン酸、ミリストレイン酸、ペトロセリン酸、ペトロセニライジン酸等が挙げられる。芳香族基を有するカルボン酸として、フェニル酢酸、β−フェニルプロピオン酸、γ−フェニル酢酸、δ−フェニル吉草酸、τ−フェニルカプロン酸、ζ−フェニルエナトン酸、η−フェニルカプリル酸、θ−フェニルペラルゴン酸、ι−フェニルカプリン酸、ナフテン酸およびトルイル酸等が挙げられる。
【００３１】
これらの中では、炭素数４〜１８の直鎖飽和脂肪酸もしくは直鎖不飽和脂肪酸又はそれらの塩が好ましく、炭素数４〜１２の直鎖飽和脂肪酸が特に好ましい。
【００３２】
可溶化剤（ＩＩＩ）は、炭素数５〜２３の分岐鎖飽和脂肪酸もしくは分岐鎖不飽和脂肪酸又はこれらの塩である。分岐鎖飽和脂肪酸の例として、２−エチルヘキサン酸、イソパルミチン酸、イソステアリン酸、ネオヘプタン酸、２−ブチル−５−メチルペンタン酸、２−イソブチル−５−メチルペンタン酸、４，６−ジメチルオクタン酸、４，７−ジメチルオクタン酸、２，３−ジメチルオクタン酸、２，３−ジメチルノナン酸、４，８−ジメチルノナン酸、２−ブチル−５−メチルヘキサン酸、２−メチルウンデカン酸、１０−メチルウンデカン酸、４，４−ジメチルデカン酸、２−エチル−３−メチルノナン酸、２，２−ジメチル−４−エチルオクタン酸、２−メチルドコサン酸、３−メチルドコサン酸、（＋）−３Ｄ−メチルドコサン酸、２−プロピル−３−メチルノナン酸、１２−メチルトリデカン酸、２，２−ジメチルドデカン酸、２，３−ジメチルドデカン酸、４，１０−ジメチルドデカン酸、２−ブチル−３−メチルノナン酸等が挙げられる。分岐鎖不飽和脂肪酸の例として、ｔｒａｎｓ−２−メチル−２−ペンテン酸、ｔｒａｎｓ−４−メチル−３−ペンテン酸、ｃｉｓ−２−メチル−２−ヘキセン酸、ｔｒａｎｓ−２−メチル−２−ヘキセン酸、２−メチレン−ヘキサン酸、３，４−ジメチル−３−ペンテン酸、ｔｒａｎｓ−２−メチル−２−ヘプテン酸、３−メチル−２−ノネン酸、３−メチル−３−ノネン酸、５−メチル−２−ウンデセン酸、２，４−ジメチル−２−デセン酸、５，９−ジメチル−２−デセン酸、２−メチル−２−ドデセン酸、（−）−５−メチル−２−トリデセン酸、Ｌ（＋）−２，４−ジメチル−２−ドデセン酸、Ｌ（＋）−２，５−ジメチル−２−トリデセン酸等が挙げられる。
【００３３】
これらの中では、炭素数５〜１８の分岐鎖飽和脂肪酸もしくは分岐鎖不飽和脂肪酸又はそれらの塩が好ましく、炭素数５〜１２の分岐鎖飽和脂肪酸が特に好ましい。
【００３４】
一般式（Ｉ）〜（ＩＩＩ）において、Ｍ１、Ｍ２、Ｍ３で示されるアルカリ金属としては、カリウム、ナトリウム等、炭素数１〜４の脂肪族アミンとしては、メチルアミン、エチルアミン、プロピルアミン、ブチルアミン、エチレンジアミン、ジエチレントリアミン等、アルカノールアミンとしては、モノエタノールアミン、ジエタノールアミン、トリエタノールアミン、他の炭素数２〜１０のアルカノールアミン等が挙げられる。Ｍ１、Ｍ２、Ｍ３としては、水素原子、アルカリ金属が好ましい。
【００３５】
本発明の可溶化剤中の可溶化剤（Ｉ）、（ＩＩ）及び（ＩＩＩ）の配合割合は、低温安定性の観点から、重量比で、（Ｉ）：［（ＩＩ）＋（ＩＩＩ）］＝９５：５〜３５：６５であり、８０：２０〜５０：５０が好ましく、７０：３０〜６０：４０が更に好ましい。また、（ＩＩ）：（ＩＩＩ）＝７０：３０〜３０：７０であり、６０：４０〜４０：６０が好ましく、５０：５０が更に好ましい。
【００３６】
本発明においては、可溶化剤（Ｉ）、（ＩＩ）及び（ＩＩＩ）を、上記の割合で組み合わせて配合することにより、少量の可溶化剤量で、高濃度のアルカリ水溶液中への非イオン界面活性剤の可溶化を実現することができる。高濃度のアルカリ水溶液中への非イオン界面活性剤の可溶化は、親水性の低下した非イオン界面活性剤に、親水性の高い可溶化剤（Ｉ）が配向し、棚層ミセルを作ることで可溶化していると推定される。しかし、耐塩基性に優れる可溶化剤（Ｉ）の溶解量が多く、効率的にミセル形成に寄与できていないと推定されることから、アルカリ水溶液中での溶解度が低い可溶化剤（ＩＩ）を併用し、可溶化剤（Ｉ）へ配向させることにより効率的に混合ミセルが形成され、可溶化剤（Ｉ）の使用量の削減が可能となった。しかし、可溶化剤（ＩＩ）の併用は、冬季の製品保管において、析出物を発生させる原因となることから、更に可溶化剤（ＩＩＩ）を用いてそれを回避し、−１０℃までの低温安定性を満足させることができた。
【００３７】
［アルカリ性水溶液組成物］
本発明の組成物中の（ａ）成分の含有量は、非イオン界面活性剤の分離や結晶の析出を防止する観点から、３〜５０重量％が好ましく、５〜４０重量％が更に好ましく、１０〜３０重量％が特に好ましい。
【００３８】
本発明の組成物中の（ｂ）成分の含有量は、洗浄性能を向上させ、また水溶液の発泡を抑えて良好な使用性を得る観点から、０．０１〜３０重量％が好ましく、０．１〜１０重量％が更に好ましく、０．２〜５重量％が特に好ましい。
【００３９】
本発明の組成物中の（ｃ）成分の含有量は、可溶化性能及び経済的観点から、０．０１〜３０重量％が好ましく、０．１〜２０重量％が更に好ましく、０．５〜１５重量％が特に好ましい。
【００４０】
本発明の組成物は、更にエチルアルコールを含有してもよい。本発明の組成物中のエチルアルコールの含有量は、０．００１〜３０重量％が好ましく、０．０１〜２０重量％が更に好ましい。
【００４１】
本発明の組成物は、更にキレート剤を含有することが好ましい。キレート剤としては、グリセリン酸、テトロン酸、ペントン酸、ヘキソン酸、ヘプトン酸等のアルドン酸類のアルカリ金属塩もしくは低級アミン塩、ニトリロ三酢酸、エチレンジアミン四酢酸、エチレンジアミン二酢酸、テトラエチレンテトラミン六酢酸等のアミノカルボン酸類のアルカリ金属塩もしくは低級アミン塩、クエン酸、リンゴ酸等のオキシカルボン酸類のアルカリ金属塩もしくは低級アミン塩、アミノトリメチレンホスホン酸、ヒドロキシエチリデンジホスホン酸、エチレンジアミンテトラメチレンホスホン酸、ジエチレントリアミンペンタメチレンホスホン酸等のホスホン酸類のアルカリ金属塩もしくは低級アミン塩、モノエタノールアミン、ジエタノールアミン、トリエタノールアミン等のアルカノールアミン塩が挙げられ、好ましくはグルコン酸、グルコヘプトン酸、エチレンジアミン四酢酸、クエン酸、リンゴ酸、ヒドロキシエチリデンジホスホン酸のアルカリ金属塩もしくは低級アミン塩であり、特に好ましくは、グルコン酸ナトリウム、グルコヘプトン酸ナトリウム、エチレンジアミン四酢酸ナトリウム、クエン酸ナトリウム、ヒドロキシエチリデンジホスホン酸ナトリウムである。
【００４２】
キレート剤は、これらの中の少なくとも１種を用いることができ、アミノカルボン酸類の塩と、アルドン酸類又はオキシカルボン酸類の塩とを併用することが好ましい。本発明の組成物中のキレート剤の含有量は、０．０１〜１０重量％が好ましく、０．０５〜７重量％が更に好ましい。
【００４３】
本発明のアルカリ性水溶液組成物は、洗浄剤、特に金属、ガラス、陶磁器、プラスチックス等の硬質表面を低温で洗浄する際の洗浄剤として有用である。
【００４４】
【実施例】
実施例１〜２５及び比較例１〜１３
下記に示す各成分を用い、表１〜３に示す組成を有するアルカリ性水溶液組成物を調製した。これらの組成物について、下記方法で一液化性並びに低温域での結晶析出の有無を評価した。結果を表１〜３に示す。
【００４５】
＜（ａ）成分＞
ａ−１：水酸化ナトリウム
＜（ｂ）成分＞
ｂ−１：ＰＯＥ（５）・ＰＯＰ（２）・ＰＯＥ（５）セカンダリーアルコール（Ｃ１２）エーテル
ｂ−２：ＰＯＥ（８）・ＰＯＰ（４）デシルエーテル
ｂ−３：ＰＯＥ（９）ラウリルエーテル
ｂ−４：ＰＯＥ（７）・ＰＯＰ（１．５）・ＰＯＥ（７）アルキル（Ｃ１２／Ｃ１４＝７／３重量比）エーテル
尚、ＰＯＥ，ＰＯＰの次のかっこ内の数字は、それぞれエチレンオキサイド又はプロピレンオキサイドの平均付加モル数を示す。
【００４６】
＜（ｃ）成分＞
可溶化剤（Ｉ）
Ｉ−１：２−エチルヘキシルアミノジプロピオン酸ナトリウム
可溶化剤（ＩＩ）
ＩＩ−１：オクタン酸
ＩＩ−２：ヘプタン酸
可溶化剤（ＩＩＩ）
ＩＩＩ−１：２−エチルヘキサン酸
ＩＩＩ−２：ネオヘプタン酸
＜キレート剤＞
ｄ−１：グルコン酸ナトリウム
ｄ−２：エチレンジアミン四酢酸四ナトリウム
＜評価方法＞
アルカリ性水溶液組成物を３０分間３０〜４０℃で撹拌後、目視により濁り及び沈殿のない最低の可溶化剤量を求めた。この時の一液化性を下記基準で評価した。
【００４７】
○：均一透明溶液
×：溶液分離
更に、一液化が確認できた組成物を、−５℃及び−１０℃で１ヶ月の静置保管を行った後、目視により結晶及び濁りの有無を確認した。
【００４８】
【表１】
2004182801.tif 000005
【００４９】
【表２】
2004182801.tif 000006
【００５０】
【表３】
2004182801.tif 000007
【００５１】
以上の結果から、可溶化剤（Ｉ）、（ＩＩ）及び（ＩＩＩ）を、本発明の範囲内で併用することにより、低添加量の可溶化剤量で一液化が可能であり、−５℃、さらに−１０℃での結晶析出も起こらないことがわかる。一方、可溶化剤（Ｉ）、（ＩＩ）及び（ＩＩＩ）の配合割合が本発明の範囲外である比較例においては、一液化が不十分であったり、一液化できても−５℃、さらに−１０℃で結晶が析出した。
【００５２】
【発明の効果】
本発明のアルカリ性水溶液組成物は、少量の可溶化剤量で、高濃度のアルカリ水溶液中への非イオン界面活性剤の可溶化を実現することができ、また、−５℃以下、更には−１０℃の極寒においても結晶が析出せず、低温安定性が良好である。